(57)【特許請求の範囲】
【請求項１】
水タンクと、該水タンク内の水を所定量貯水するための貯水部と、該貯水部の水を吸い上げ気化する着脱自在な気化式フィルターと、該気化式フィルターに吸い上げられた水を加熱するヒータと、ファンとを備えてなる加湿器であって、加湿器モードでは前記気化式フィルターを使い、除湿モードでは吸水材を使い、加湿モードと除湿モードとも共通のファンを用いて、加湿又は除湿を行い、除湿モードでは前記ヒータに通電されないことを特徴とする加湿器。
【請求項２】
前記気化式フィルターと吸水材は使用モードにより同じ位置で交換することを特徴とする請求項１記載の加湿器。
【請求項３】
前記貯水部は、加湿モードでは水の供給の役目をし、除湿モードでは吸水材からの水受けの役目をすることを特徴とする請求項１、２記載の加湿器。
【請求項４】
前記気化式フィルターを取り付けた時には除湿モードが動作せず、吸水材を取り付けた時には加湿モードが動作しないことを特徴とする請求項１ないし３記載の加湿器。
【発明の詳細な説明】
【０００１】
【発明が属する技術分野】
本願発明は、加湿器に関し、特にその加湿器に除湿器の機能を持たせその付加価値を高めた加湿器に関するものである。
【０００２】
【従来の技術】
現在加湿器としては、気化式フィルターとファンとからなるタイプのもの、或いは更にヒータを併設したタイプのものがある。後者のタイプの加湿器は、水を入れたカートリッジ式タンク、該タンクの水から排出される所定量の水を貯める貯水部、該貯水部の水を吸い上げるフィルタ、水を蒸気化するヒータ及び霧化した加湿空気を室内に供給するファン等を有してなり、その機能は概略以下のとおりである。
【０００３】
即ち、カートリッジ式タンク内に水を入れ逆さにして所定位置に載置すると該タンク内の水が所定量排出されるとともに、その水は貯水部に流れ出て貯水される。貯水部には気化式フィルターの底部が侵漬して立設されており、そのため貯水部の水はフィルターに吸い上げられ保持される。該フィルターの前方或いは後方にはファンが配設されており、該ファンを駆動することによりフィルターに吸い上げられ保持されている水は霧化状態として吸い出され、その霧化された水が室内に供給されることになるが、ヒータ内蔵式のものでは、前記フィルターの近傍にヒータが設けられフィルターに吸い上げられ保持される水を加熱するため、前記ファンによって霧化される水は霧化されるとともに蒸気化され、蒸気の状態で室内に供給され、より効果的に室内の湿度を高める。
【０００４】
加湿器の機能の概略は以上のとおりであるところ、この加湿器は、気温が下がる冬の時期に室内を暖房する結果、室内の湿度が下がるためその湿度を高めるため主に使用されるものである。そのため、その使用時期は冬の暖房時等というようにある限られた時期だけの季節商品であり、年間を通しての利用価値はどうしても低くならざるを得ず、必要と思う人にとっては重宝な商品ではあるが、それ以外の人にとっては今すぐ買ってみたいといえる商品とはいえないものであった。
【０００５】
【発明が解決しようとする課題】
本願発明は、従来の加湿器に除湿機能を持たせることにより、冬場等の乾燥時期だけではなく、雨が降ったり梅雨の時期のような湿度の高い時期での使用をも可能にすることにより、通年商品とし、その利用価値を高めた加湿器を提供することを目的とするものである。
【０００６】
【課題を解決するための手段】
上記目的を達成するため、本願発明は以下の構成を採用する。
【０００７】
請求項１に係る発明では、水タンクと、該水タンク内の水を所定量貯水するための貯水部と、該貯水部の水を吸い上げ気化する着脱自在な気化式フィルターと、該気化式フィルターに吸い上げられた水を加熱するヒータと、ファンとを備えてなる加湿器であって、加湿器モードでは前記気化式フィルターを使い、除湿モードでは吸水材を使い、加湿モードと除湿モードとも共通のファンを用いて、加湿又は除湿を行い、除湿モードでは前記ヒータに通電されない構成。そしてこの構成により、冬場等の乾燥時期には本来の加湿器としての使用形態での使用がなされ、且つ梅雨から夏場にかけての湿気の多い時期等には除湿器として使用することができ、その利用価値が高まる。
【０００８】
また、加湿器及び除湿器として部品が共用でき、低コスト化が図れる。
【０００９】
請求項２、３に係る発明では、前記気化式フィルターと吸水材は使用モードにより同じ位置で交換し、更に貯水部は、加湿モードでは水の供給の役目をし、除湿モードでは吸水材からの水受けの役目をする構成。そしてこの構成により、請求項１の作用に加え、従来の加湿器の構造がそのまま利用できるため、更に低コスト化が図れる。
【００１０】
請求項４に係る発明では、前記気化式フィルターを取り付けた時には除湿モードが動作せず、吸水材を取り付けた時には加湿モードが動作しない構成。そしてこの構成により、請求項１ないし３の作用に加え、気化式フィルターを取り付け加湿を行う時誤って除湿スイッチを押したり、或いは吸水材を取り付け除湿を行う時誤って加湿スイッチを押したとしても、間違って押したスイッチのモードは作動しないため操作者は気楽に操作でき安心である。
【００１１】
【発明の実施の形態】
加湿器１は、上部に配置されヒンジ５を介して開閉自在な上蓋２と、胴部を形成し平面視略矩形状の本体ケース３と、底部を形成し、前記本体ケース３に無理嵌めによって一体的に固定され、その底部には脚６を有する底板４からその全体を形成している。
【００１２】
その内部には、略水平な仕切り板７及びファン１８等を収納するための区画壁８、即ち上部区画壁８ａ、後部区画壁８ｂ及び側部区画壁８ｃ、８ｃが設けられ、前記仕切り板７、上部区画壁８ａ及び後部区画壁８ｂとで水タンク９を収納するための第１の中空室Ｒを形成し、前記上部区画壁８ａ、後部区画壁８ｂ及び側部区画壁８ｃ、８ｃからなる区画壁８とでファン１８等を収納するための第２の中空室Ｓを形成している。
【００１３】
前記第１の中空室Ｒは、図１に示すように断面略Ｌ字状を呈しており、この中空室Ｒに収納する水タンク９もこの形状に合ったものが用いられ、この中空室Ｒを最大限に利用した形状の水タンク９が採用されている。前記水タンク９は第１の中空室Ｒに対し逆さ状態で配置され、該水タンク９の上端には円形のキャップ１０が着脱自在に取付けられているとともに、該キャップ１０の中央部には以下のような弁体１２が設けられている。即ちキャップ１０の中央部には、上方へある高さ突出する中空状の筒状体１１が形成されるとともに、その筒状体１１の内部には弁体１２を支持するための支持体１３が配設されている。そして前記筒状体１１の内部には、逆傘状の弁部１２ａ、その弁部１２ａに一体的に形成されている弁棒１２ｂ、その弁棒１２ｂの先端に取り付けられる底板体１２ｃからなる弁体１２が、弁棒１２ｂを前記筒状体１１の内部に形成される支持体１３に支持される形態で取り付けられ、更に前記筒状体１１の内部に形成される支持体１３と前記弁体１２の底板体１２ｃとの間にはバネ１２ｄが介在されており、通常時には該バネ１２ｄの作用により弁部１２ａが筒状体１１の基端内部に形成される弁座に当接しており、たとえ水タンク９を逆さにしても水が出ることはない。
【００１４】
前記第１の中空室Ｒに水タンク９を逆さ状態で配置することは前述したとおりであるところ、前記仕切り板７には、水タンク９のキャップ１０が載置され、且つ位置決めも行われる略円形の凹部１４が形成されており、前記第１の中空室Ｒへの水タンク９の配置時には、キャップ１０が該凹部１４内に嵌入し、支持される。
【００１５】
また前記仕切り板７の凹部１４中央には略円形で、且つ凹部１４より更に下方に凹んだ凹陥部１５ａが形成されているとともに、この凹陥部１５ａの中央にはその底部から上方へ立設し、水タンク９のキャップ１０に設けられる弁体１２を開放するための棒状体１６が設けられている。
【００１６】
即ち、水タンク９を第１の中空室Ｒに逆さにして収納すると、そのキャップ１０は仕切り板７の凹部１４に載置することになるが、該キャップ１０の中央部に形成される筒状体１１の先端部の一部は前記凹部１４の中央に形成される凹陥部１５ａ内に侵入するとともに、キャップ１０に配設される弁体１２の先端に形成される底板体１２ｃの上面は、前記凹陥部１５ａに立設される棒状体１６の先端によって押され、その結果図１に示すように弁体１２は上方に押し上げられ、水タンク９内は前記凹陥部１５ａに連通することになり、水タンク９内の水は凹陥部１５ａ内に流れ出、キャップ１０に形成される筒状体１１の先端部が水に漬かるまで凹陥部１５ａ内を満たすことになる。
【００１７】
前記仕切り板７には、前記凹陥部１５ａに連通し、且つ凹陥部１５ａとほぼ同じ深さからなる通水路１５ｂが形成されている。該通水路１５ｂは図２に示すように広い部分を有し、この広い部分にはフロートスイッチ１７が配置されている。このフロートスイッチ１７は図４に示す構成を有する従来公知のものである。即ち支柱１７ｃの外周上に内部に磁石１７ｂを有するフロート１７ａが上下動自在に配置され、その上方には支柱１７ｃにビス１７ｇで固定されるストッパ部材１７ｆを配するとともに、支柱１７ｃ内にはリード線１７ｅの先端に磁力の作用時に当接するリードスイッチ１７ｄを備えてなり、通水路１５ｂ内が水で満たされるとフロート１７ａがストッパ部材１７ｆに当接するまで上昇し、フロート１７ａがその位置まで達するとリードスイッチ１７ｄが閉鎖され加湿器が作動するという、いわゆる水タンク９内の水がないと加湿器が作動しない安全装置としての機能を有するものである。
【００１８】
上部区画壁８ａ、後部区画壁８ｂ及び側部区画壁８ｃ、８ｃからなる区画壁８で第２の中空室Ｓを形成することは前述したとうりであるが、該第２の中空室Ｓは前方から後方に亘り更にファン１８が収納される前部室Ｓ１，気化式フィルター１９が収納される中間室Ｓ２及びヒータ２０が収納される後部室Ｓ３に区画されている。そして前記気化式フィルター１９が収納される中間室Ｓ２の底部は、図１に示すように断面略コ字状のフィルター下部通路１５ｃが形成されているとともに、該通路１５ｃは図２に示すように前記凹陥部１５ａに連通する通水路１５ｂと連通しており、凹陥部１５ａ、通水路１５ｂ及びフィルター下部通路１５ｃとで貯水部１５を構成し、水タンク９内の水が該フィルター下部通路１５ｃまでを満たしている。
【００１９】
またこの中間室Ｓ２には、図２及び図６の平面視においてはそれら図に示すようにその上方で、且つ図８の拡大断面図においてはやはりその図に示すように上方の位置に加湿用スイッチ３０及び除湿用スイッチ３１が設けられており、後述するフィルター或いは除湿剤収納用の容器が中間室Ｓ２に挿入された時加湿回路或いは除湿回路が繋がりそれぞれの運転が可能になるように設定されている。
【００２０】
前記前部室Ｓ１，中間室Ｓ２及び後部室Ｓ３はお互い連通しており、空気の流れを許容している。そしてファン１８が収納される前部室Ｓ１の前方には吹出し口２１が形成されており、加湿時においては加湿された空気を、除湿時においては乾燥された空気を該吹出し口２１より室内に噴出する。前記気化式フィルター１９が収納される中間室Ｓ２はその上部に開口部２２が形成されており、該開口部２２より気化式フィルター１９を着脱する。
【００２１】
該気化式フィルター１９は、ポリエチレン不織布のような公知の高分子多孔質部材からなり、その表面積をなるべく多くとるために図２に示すように波状に形成されており、上方開口部２２より挿入されるとともに、その下部の下部通路１５ｃを形成する壁面により支持される。その結果フィルター１９の下部は通路１５ｃ内を満たしている水に漬かるとともに、その水をフィルター上部にまで吸い上げ、フィルター１９全体を湿潤させる。尚、該フィルター１９の形状は必ずしも前記したような波状のものに限ることなく、ストレート形状等であっても良い。
【００２２】
またこの気化式フィルター１９は、図２に示すように中間室Ｓ２に設けられる前記除湿用スイッチ３１に対向する位置となるその一端部の先端に切欠部１９ａが形成され、該気化式フィルター１９を中間室Ｓ２に挿入したときには、切欠部１９ａによって気化式フィルター１９が前記除湿用スイッチ３１を押圧することがないようにされるとともに、前記切欠部１９ａの反対側、即ちファン１８側は切り欠かれていないため前記加湿用スイッチ３０を押圧し、そのスイッチ３０をオン状態としているため、除湿回路はオフ状態のままであるが、加湿回路はオン状態になる。
【００２３】
前記後部室Ｓ３には、ヒータ２０が配設されるとともに、その下部には下部開口部２３が開口され、該開口部２３は仕切り板７と本体ケース３下部の底板４との間であって、前記吹出し口２１の下方に形成される吸い込み口２４を有する下部空間Ｔに連通している。
【００２４】
また加湿器１の正面には、図３に示すように吹出し口２１及びその下部の吸い込み口２４が設けられるとともに、その上部には操作表示部２５が配置されている。該操作表示部２５は図３からも明らかなように自動及び連続運転を切り替えるための運転切り替えスイッチ２５ａ、タイマー２５ｂ、加湿運転のオンオフを行うための加湿運転スイッチ２５ｃ、除湿運転のオンオフを行うための除湿運転スイッチ２５ｄ、加湿運転時に水タンク９内の水がないことを知らせる給水表示器２５ｅ及び除湿運転時に貯水部１５内の水が一杯になったことを知らせるとともに吸水材の交換を促すための満水表示器２５ｆ等が配置されており、特に加湿運転と除湿運転とはそれぞれ別々のスイッチが設けられ、加湿モードと除湿モードとは同時に運転ができないようにされている。尚、吸水材の交換は、別途の表示器を設けても良い。
【００２５】
加湿運転時の作用について説明すると、加湿運転する場合には、前記中間室Ｓ２内に気化式フィルター１９を設置すると該気化式フィルター１９が加湿用スイッチ３０を押圧するため加湿回路はオン状態になる。次いで水を入れた水タンク９を加湿器１内の凹部１４に設置する。するとタンク９内の水が貯水部１５に流れ出、流れ出た水はフィルタ下部通路１５ｃでフィルター１９に吸い上げられる。この状態で操作表示部２５の加湿運転スイッチ２５ｃを入れると、ファン１８が回動するとともに、ヒータ２０に通電され該ヒータ２０が加熱する。するとフィルター１９に吸い上げられていた水は、ヒータ２０によって加熱され蒸気化されるとともに、ファン１８により吸い出され、その結果霧化された蒸気は吹出し口２１より室内に放出され、乾燥した室内の空気を加湿する。尚、白抜きの矢印は乾燥空気の流れを、黒塗りの矢印は加湿された空気の流れを示し、更に単なる矢印は水の流れを示す。またヒータ２０を必須のものとして説明したが、このヒータ２０はなくても良い。
【００２６】
次に除湿運転時について説明する。図５ないし図７は除湿運転時の一実施例を示す。この例は、加湿運転時に前記中間室Ｓ２に配置した気化式フィルター１９に代えて吸水剤２７を挿入可能な図７に示すような金網製の容器２６を前記中間室Ｓ２に着脱自在にしたものである。即ち、吸水剤挿入用容器２６は、上方だけが開放し他の５面は吸水剤２７の大きさより網目の小さい金網２６ａにより覆われてなり、その上方の側面にはそれぞれ取手２６ｂが設けられている。
【００２７】
更に該容器２６の上方端部であり、前記気化式フィルター１９の切欠部１９ａの反対側に相当する位置には、窪み部２６ｃが設けられており、この容器２６を中間室Ｓ２に収納した時には窪み部２６ｃにより加湿用スイッチ３０が押圧されないようにしている。一方、容器２６の前記窪み部２６ｃと反対側、即ちヒータ２０側には金網部に平板２６ｄが取り付けられており、容器２６を中間室Ｓ２に収納した時には該平板２６ｄが除湿用スイッチ３１を押圧する。
【００２８】
容器２６内に入れられる吸水材としての吸水剤２７は、市販されている粒状の塩化カルシウム等を用いる。この塩化カルシウム等からなる吸水剤２７は定期的、例えば除水した水が貯水部１５内に一杯になったことを操作表示部２５の満水表示器２５ｆが検知した時をめどに交換する。尚、この吸水剤２７は、前記中間室Ｓ２の形状と同じ形状からなるパック等に入れられたものがあれば特に前記容器２６を用いる必要はない。
【００２９】
除湿運転時の作用について説明すると、除湿運転する場合には、前記吸水剤挿入用容器２６内に予め吸水剤２７を入れ（必ずしも最初に吸水剤を入れておく必要はなく、容器２６を配置した後に吸水剤を入れても良い。）、吸水剤２７を入れた容器２６を前記中間室Ｓ２内に設置する。すると前記窪み部２６ｃ及び平板２６ｄにより加湿用スイッチ３０は押圧されないのでオフ状態を保つが、除湿用スイッチ３１は押圧されるためオン状態になる。
【００３０】
そしてこの場合に水タンク９内に水を入れないことは勿論であるが、タンク９を取外しておいても良い。この状態で操作表示部２５の除湿運転スイッチ２５ｄを入れると、ファン１８が回動するがヒータ２０には通電されない。ファン１８が回動すると吸い込み口２４より室内の湿った空気が吸入され（黒塗りの矢印）、吸入された湿った空気は下部空間Ｔより後部室Ｓ３を経て中間室Ｓ２に至り、該中間室Ｓ２に配置される吸水剤２７により空気中の水分が取り除かれ、水分が取り除かれた空気（白抜きの矢印）はファン１８により吹出し口２１から再び室内に戻される。前記中間室Ｓ２において吸水剤２７によって取り除かれた空気中の水分は、自身の重みにより下方に流れ、その下部通路１５ｃに流れ出る。即ち貯水部１５は、加湿時には水の供給の役目をしていたのが除湿時には吸水剤からの水受けの役目をすることになるが、貯水部１５での貯水量が増えるとその水は貯水部１５全体を満たすことになり、そうなると図示しない前記フロートスイッチ１７がその状態を検知し、その結果操作表示部２５の満水表示器２５ｆを赤色点灯し、貯水部１５の水の排水を指示するとともに、吸水剤２７の交換をも指示することになる。即ち、前記フロートスイッチ１７は、加湿時には水の不足を検知するものであったのが、除湿時には水の満水を検知するものとして使われている。
【００３１】
続いて除湿運転時の他の実施例について図９、図１０に基づいて説明する。この実施例のものは加湿器としての構造は何ら変更するものではないが、前記中間室Ｓ２に容器２６を介して挿入していた吸水剤２７のタイプのものでは、中間室Ｓ２の容積以上の吸水剤を用いることができないとともに、吸水剤の下部が通路１５ｃ内に溜まる水に浸されることになるためその部分の吸水剤が早い時期から除湿剤として使えなくなり、全体の除湿効果を高めることができないという問題に対処するためのものである。
【００３２】
即ち、区画壁８を構成する上部区画壁８ａ上に図７に示す金網で形成した容器２６より大きい容積を有する皿状の容器２８を配設したものである。この容器２８は、図９及び図１０に示すように皿状を呈し、且つその底部には中間室Ｓ２の上方開口部２２を完全に包囲するような形態での脚部を兼用する遮蔽壁板２８ａが形成されるとともに、その遮蔽壁板２８ａ内の底壁部には吸水剤２７よりも小さい多数の穴２８ｂが設けられている。
【００３３】
更に遮蔽壁板２８ａ内の底壁部には、中間室Ｓ２内まで侵入する突出平板２８ｃが取り付けられており、この皿状の容器２８を上部区画壁８ａ上の所定位置に載置した時には、前記突出平板２８ｃの一面が前記除湿用スイッチ３１を押圧し、除湿回路をオン状態とする。またこの実施例のものにおいては上蓋２に縦長状の空気取り入れ口２９が設けられ、この取り入れ口２９より室内の湿った空気が取り入れられる。勿論この実施例のものは水タンク９は取外して使われる。
【００３４】
この実施例の使用形態は、除湿運転に際してまず水タンク９を取外すとともに、区画壁８を構成する上部区画壁８ａ上に皿状の容器２８を配設する。すると前記突出平板２８ｃの一面が前記除湿用スイッチ３１を押圧し、除湿回路をオン状態とすることになり、その後操作表示部２５の除湿スイッチ２５ｄを入れる。するとファン１８が駆動するため、上蓋２に形成した縦長状の空気取り入れ口２９を介して室内の湿った空気（黒塗りの矢印）が取り入れられ、取り入れられた空気は容器２８内に入れられた吸水剤２７に触れ、含まれている水分が分離され、水分が分離された空気（白抜きの矢印）は中間室Ｓ２の上方開口部２２より該中間室Ｓ２に導入され、その後前部室Ｓ１を介して吹出し口２１より室内に戻される。そして吸水剤２７に吸着された水分は一定量溜まると自重で容器２８の底部に形成される多数の穴２８ｂより中間室Ｓ２内に落下し、中間室Ｓ２底部の通路１５ｃ、即ち貯水部１５内に溜まることになる。そして貯水部１５内の水が増えるとフロートスイッチ１７が上昇し、やがて貯水部１５内の水が満水になるとフロートスイッチ１７がリードスイッチ１７ｄを閉鎖し、操作表示部２５の満水表示器２５ｆを赤色点灯する。このようにこの実施例のものでは、吸水剤２７は水に漬かることはなくなるためその耐用期間が延びるとともに、除湿効果が向上する。
【００３５】
なお、前記加湿用スイッチ３０及び除湿用スイッチ３１については、図２，図６及び図８に記載されている形態のものとして説明したがそのようなものに限ることはなく、要は気化式フィルターが中間室に収納されたときに加湿回路がオンし、除湿剤を入れる容器が中間室に収納されたときに除湿回路がオンするものであればどのような形態のものでも良い。
【００３６】
本願発明は、上記実施例の構成に限定されるものではなく、発明の要旨を逸脱しない範囲において適宜設計変更可能であることは勿論である。
【００３７】
【発明の効果】
請求項１に係る発明では、水タンクと、該水タンク内の水を所定量貯水するための貯水部と、該貯水部の水を吸い上げ気化する着脱自在な気化式フィルターと、該気化式フィルターに吸い上げられた水を加熱するヒータと、ファンとを備えてなる加湿器であって、加湿器モードでは前記気化式フィルターを使い、除湿モードでは吸水材を使い、加湿モードと除湿モードとも共通のファンを用いて、加湿又は除湿を行い、除湿モードでは前記ヒータに通電されないことにより、冬場の乾燥時期等には本来の加湿器としての使用形態での使用がなされ、且つ梅雨から夏場にかけての湿気の多い時期等には除湿器として使用することができるというように通年での使用が可能となり、その商品価値を高めることができる。
【００３８】
また、加湿器及び除湿器として部品が共用でき、商品の低コスト化を図ることができる。
【００３９】
請求項２、３に係る発明では、前記気化式フィルターと吸水材を使用モードにより同じ位置で交換するとともに、貯水部を加湿モードでは水を供給する役目とし、除湿モードでは吸水材から水を受ける役目とすることにより、請求項１の効果に加え、従来の加湿器の構造がそのまま利用でき、更に商品の低コスト化を図ることができる。
【００４０】
請求項４に係る発明では、前記気化式フィルターを取り付けた時には除湿モードが動作せず、吸水材を取り付けた時には加湿モードが動作しないようにすることにより、請求項１ないし３の効果に加え、気化式フィルターを取り付け加湿を行う時誤って除湿スイッチを押したり、或いは吸水材を取り付け除湿を行う時誤って加湿スイッチを押したとしても、間違って押したスイッチのモードは作動しないため、操作者は直ぐに誤りに気づくことができるというようにその操作を気楽に行うことができ安心して操作を行うことができるとともに、例えば吸水材を取り付け除湿を行う時には本来ヒータは不要であるところ、誤って加湿スイッチを押した場合にヒータが加熱することになれば、無駄な電力を使うことになるがこのようなエネルギーの消費をなくすることもできる。
【図面の簡単な説明】
【図１】本願発明の加湿・除湿器の加湿器としての使用形態での断面図。
【図２】上蓋及び水タンクを取り外した状態での図１の平面図。
【図３】本願発明の加湿・除湿器の正面図。
【図４】フロートスイッチの断面図。
【図５】本願発明の加湿・除湿器の除湿器としての使用形態での断面図。
【図６】上蓋及び水タンクを取り外した状態での図５の平面図。
【図７】除湿剤を入れるための金網容器の斜視図。
【図８】本願発明の中間室に設けられる加湿用スイッチ及び除湿用スイッチの取り付け位置拡大断面図。
【図９】本願発明の加湿・除湿器の除湿器としての使用形態での他の実施例の断面図。
【図１０】上蓋及び水タンクを取り外した状態での図９の平面図。
【符号の説明】
１…加湿器          ２…上蓋            ３…本体ケース
４…底板            ５…ヒンジ          ６…脚
７…仕切り板        ８…区画壁          ９…水タンク
１０…キャップ      １１…筒状体        １２…弁体
１３…支持体        １４…凹部          １５…貯水部
１６…棒状体        １８…ファン        １９…気化式フィルター
２０…ヒータ        ２１…吹出し口      ２２…上方開口部
２３…下部開口部    ２５…操作表示部    ２６…吸水剤挿入用容器
２７…吸水剤      ３０…加湿用スイッチ  ３１…除湿用スイッチ
Ｓ１…前部室      Ｓ１…後前部室        Ｓ２…中間室
Ｓ３…後部室      １５ａ…凹陥部        １５ｂ…通水路
１５ｃ…フィルタ下部通路    ２６ａ…金網  ２６ｂ…取手
２６ｃ…窪み部    ２６ｄ…平板          ２８ａ…遮蔽壁板
【図１】
0003591462.tif 000002
【図２】
0003591462.tif 000003
【図３】
0003591462.tif 000004
【図４】
0003591462.tif 000005
【図５】
0003591462.tif 000006
【図６】
0003591462.tif 000007
【図７】
0003591462.tif 000008
【図８】
0003591462.tif 000009
【図９】
0003591462.tif 000010
【図１０】
0003591462.tif 000011